(57)【特許請求の範囲】
【請求項１】
水槽外に設けられたエアポンプと、水槽の内部から外部上方に亘って設けられてエアポンプからの空気に依り水槽の水を揚水するエアリフトポンプと、エアリフトポンプの下部に設けられて水槽からの水を濾過する濾過器と、エアリフトポンプの上部に設けられてこれからの水と空気とを下側に水が上側に空気が夫々位置すべく分離する分離器と、分離器の下方に設けられてこれからの水を分散させて滴下させる散水器と、散水器の下方に離間して設けられて水と空気とが流下可能でこれらの接触効果を高める為の熱交換器と、熱交換器の下方に離間して設けられてこれからの水を受ける為の受水器と、分離器に依り分離された空気を熱交換器に直接導く為の空気抜き路と、受水器からの水を水槽に戻す為の排水路と、散水器から滴下された水と熱交換器内の水と受水器の水に対して冷却空気を通流させる為の冷却ファンと、から構成した事を特徴とする水槽用冷却装置。
【請求項２】
濾過器とエアリフトポンプと分離器と散水器と熱交換器は、上下方向に一直線状に配置され、受水器は、熱交換器と冷却ファンの下方に跨って配置され、冷却ファンは、分離器と散水器と熱交換器の側方に配置され、冷却ファンに依って通流される冷却空気の吸気口は、散水器と熱交換器との間の側方に形成され、冷却空気の排気口は、冷却ファンの上方に形成されている請求項１に記載の水槽用冷却装置。
【請求項３】
受水器には、水跳ね防止マットが設けられている請求項１に記載の水槽用冷却装置。
【発明の詳細な説明】
【０００１】
【発明の属する技術分野】
本発明は、熱帯性海水魚や熱帯性淡水魚等の鑑賞用熱帯魚の飼育に用いる水槽、とりわけ上部に大きな濾過装置が載置できない比較的小型の水槽に適用されて気化熱を利用して水を冷却する様にした水槽用冷却装置の改良に関する。
【０００２】
【従来の技術】
従来、この種の水槽用冷却装置としては、例えば特開平６−１４１７３７号、特開平６−１８１６６１号、特開平７−１１５８７４号（特許第２５８３１９１号）、実用新案登録第３０１５４２４号、特開平８−１４０５２５号、特開平１１−２４３８０７号、特開平１１−３１８２７１号、特開２０００−８３５１１号、特許第３０１３２４８号（特開２０００−１３９２７０号）等に記載されたものが知られている。
【０００３】
【発明が解決しようとする課題】
然しながら、何れのものも、水槽の上部に設置する大きな濾過装置に組み込んだり或はこの様な濾過装置と併用するものであったので、水没式の濾過器を用いる比較的小型の水槽では、容易に使用できなかった。
本発明は、叙上の問題点に鑑み、これを解消する為に創案されたもので、その課題とする処は、比較的小型の水槽に使用する事ができると共に、コストの低減が図れて優れた冷却効果を発揮できる水槽用冷却装置を提供するにある。
【０００４】
【課題を解決するための手段】
本発明の水槽用冷却装置は、基本的には、水槽外に設けられたエアポンプと、水槽の内部から外部上方に亘って設けられてエアポンプからの空気に依り水槽の水を揚水するエアリフトポンプと、エアリフトポンプの下部に設けられて水槽からの水を濾過する濾過器と、エアリフトポンプの上部に設けられてこれからの水と空気とを分離する分離器と、分離器の下方に設けられてこれからの水を分散させて滴下させる散水器と、散水器の下方に離間して設けられて水と空気とが流下可能でこれらの接触効果を高める為の熱交換器と、熱交換器の下方に離間して設けられてこれからの水を受ける為の受水器と、分離器の空気を熱交換器に直接導く為の空気抜き路と、受水器からの水を水槽に戻す為の排水路と、散水器から滴下された水と熱交換器内の水と受水器の水に対して冷却空気を通流させる為の冷却ファンと、から構成した事に特徴が存する。
【０００５】
エアポンプが作動されると、これからの空気がエアリフトポンプの下部に送られ、水槽内の水が濾過器を通過してエアリフトポンプの下部から上方へ空気と一緒に上昇される。この時、濾過器に依り水が濾過されるので、エアリフトポンプに於ては、清浄な水が揚水される。
エアリフトポンプの上部まで上昇された水と空気は、分離器に依り分離される。分離器に依り分離された水は、散水器に依り分散されて滴下され、熱交換器へ落下される。分離器に依り分離された空気は、空気抜き路に依り直接熱交換器へ送られる。空気抜き路があるので、分離器内の水と空気が散水器に依り一緒に出る事がなく、水が飛び散る惧れがない。
熱交換器に達した水は、これに依り分散されて表面積が増加され、冷却空気及び空気抜き路からの空気に依り冷却される。冷却された水は、受水器に依り集水されて排水路から水槽に戻され、これに依って水槽内の水が冷却される。
冷却ファンが作動されると、散水器から滴下された水と熱交換器内の水と受水器の水に対して冷却空気が通流され、気化熱に依り水が冷却される。
【０００６】
エアポンプとエアリフトポンプと濾過器とに依り水槽内の水の濾過と水槽内の水の揚水と水中への酸素補給とを行なう様にしたので、全体をコンパクトに構成でき、比較的小型の水槽に使用する事ができると共に、コストの低減を図る事ができる。
冷却ファンに依る冷却空気だけでなくエアポンプからの空気も利用して揚水後の水を冷却する様にしたので、優れた冷却効果を発揮できる。
【０００７】
濾過器とエアリフトポンプと分離器と散水器と熱交換器は、上下方向に一直線状に配置され、受水器は、熱交換器と冷却ファンの下方に跨って配置され、冷却ファンは、分離器と散水器と熱交換器の側方に配置され、冷却ファンに依って通流される冷却空気の吸気口は、散水器と熱交換器との間の側方に形成され、冷却空気の排気口は、冷却ファンの上方に形成されているのが好ましい。この様にすれば、全高の低いコンパクトな構成とする事ができ、小型の水槽の上に容易に設置できる。
【０００８】
受水器には、水跳ね防止マットが設けられているのが好ましい。この様にすれば、熱交換器からの水の跳ねを防止する事ができ、排水路から水槽へ速やかに水を排出できる。
【０００９】
【発明の実施の形態】
以下、本発明の実施の形態を、図面に基づいて説明する。
図１は、本発明の水槽用冷却装置を適用した熱帯魚用水槽の概要を示す縦断正面図。図２は、水槽用冷却装置を示す拡大縦断正面図。図３は、図２の側面図である。
【００１０】
水槽用冷却装置１は、エアポンプ２、エアリフトポンプ３、濾過器４、分離器５、散水器６、熱交換器７、受水器８、空気抜き路９、排水路１０、冷却ファン１１とからその主要部が構成されている。
エアリフトポンプ３の上半と分離器５と散水器６と熱交換器７と受水器８と空気抜き路９と排水路１０と冷却ファン１１は、本体１２に設けられていると共に、濾過器４は、エアリフトポンプ３の下部に設けられて水槽Ａの底部に載置されている。本体１２は、図２及び図３に示す如く、縦長の薄箱状を呈し、水槽Ａの上部に片寄せて載置されている。
【００１１】
エアポンプ２は、水槽Ａ外に設けられたもので、この例では、外気を加圧して吐出する市販のものにしてあり、水槽Ａの上部中程に載置されて居り、空気Ｂを吐出する吐出管１３を備えている。
【００１２】
水槽Ａは、この例では、ガラス製やアクリル製の市販のものにしてあり、大きな濾過装置が上部に置けない比較的小型のものにしてある。
【００１３】
エアリフトポンプ３は、水槽Ａの内部から外部上方に亘って設けられてエアポンプ２からの空気Ｂに依り水槽Ａの水Ｃを揚水するもので、この例では、垂直状態の揚水管１４と、揚水管１４の下部にその上端が臨んでエアポンプ２からの空気Ｂを送出する略Ｌ型の空気送出管１５とを備えている。
而して、エアリフトポンプ３の空気送出管１５とエアポンプ２の吐出管１３とは、ビニール製等のエアホース１６に依り接続されている。
【００１４】
濾過器４は、エアリフトポンプ３の下部に設けられて水槽Ａからの水Ｃを濾過するもので、この例では、エアリフトポンプ３の下部（吸込み部分）を囲む様に設けられた筒状の容器１７と、容器１７の底部に設けられて水槽Ａの底部に鎮座させる為の適数の脚１８と、容器１７内でエアリフトポンプ３の下部を挟んで上下に収容された異種の濾材１９（上側は、カセット式のウールマット等にしてあり、下側は、麦飯石等にしてある。）と、容器１７の上下に形成されて水槽Ａ内の水Ｃが侵入する多数の水孔２０とを備え、水槽Ａ内の水Ｃが上側の水孔２０から上側の濾材１９を経てエアリフトポンプ３の下部に達すると共に、水槽Ａ内の水Ｃが脚１８の間から下側の水孔２０そして下側の濾材１９を経てエアリフトポンプ３の下部に達する様にしてある。
而して、図略しているが、濾過器４の容器１７は、濾材１９を交換できる様に分離可能になっている。
【００１５】
分離器５は、エアリフトポンプ３の上部に設けられてこれからの水Ｃと空気Ｂとを分離するもので、この例では、本体１２の左側上部に設けられて居り、直方体状を呈し、エアリフトポンプ３の上部と連通する密閉空間（分離室）２１が形成されるべくその上部には、蓋体２２が着脱可能に設けられている。
而して、分離器５は、下部には水Ｃがそれより上部には空気Ｂが夫々貯溜される様になっている。
【００１６】
散水器６は、分離器５の下方に設けられてこれからの水Ｃを分散させて滴下させるもので、この例では、平板２３とこれに垂設された適数の直管２４とを備えた形状を呈し、各直管２４に依り分離器５に連通する適数の水滴孔２５が形成されている。
【００１７】
熱交換器７は、散水器６の下方に離間して設けられて水Ｃと空気Ｂとが流下可能でこれらの接触効果を高める為のもので、この例では、図略しているが、多数の上下方向の穴が開いた練炭状を呈し、水Ｃと空気Ｂとの接触面積が大きいフェルト等に依り作製されて居り、本体１２内の左側中位に収納保持されている。
而して、熱交換器７は、単一のものにしてあり、図略しているが、本体１２に対して交換可能に収納されている。
【００１８】
前記濾過器４とエアリフトポンプ３と分離器５と散水器６と熱交換器７は、略左右対称形を呈し、上下方向に一直線状に配置されている。
【００１９】
受水器８は、熱交換器７の下方に離間して設けられてこれからの水Ｃを受ける為のもので、この例では、本体１２の下部に形成されて居り、上方が開放された皿状を呈し、底壁上には、熱交換器７から落下してきた水Ｃの跳ね防ぐスポンジや不織布等製の水跳ね防止マット２６が敷設されている。
而して、受水器８は、熱交換器７と冷却ファン１１の下方に跨って配置されている。
【００２０】
空気抜き路９は、分離器５の空気Ｂを熱交換器７に直接導く為のもので、この例では、散水器６の平板２３を上下方向に貫通する適数の直管２７に依り形成されている。
【００２１】
排水路１０は、受水器８からの水Ｃを水槽Ａに戻す為のもので、この例では、本体１２の右側下部に単一の直管２８に依り形成されている。
【００２２】
冷却ファン１１は、散水器６から滴下された水Ｃと熱交換器７内の水Ｃと受水器８の水Ｃに対して冷却空気Ｂを通流させる為のもので、この例では、本体１２の右側上部に設けられたモータ２９と、モータ２９の下部に設けられてこれに依り縦軸廻りに回転されるファン３０と、本体１２の右側中位に設けられてファン３０を囲って空気Ｂを導く為のフード３１とを備えている。
而して、冷却ファン１１は、分離器５と散水器６と熱交換器７の側方（右方）に配置されている。冷却ファン１１に依って通流される冷却空気Ｂの吸気口３２は、散水器６と熱交換器７との間の側方（右方を除く三側方）の本体１２に形成されていると共に、冷却空気Ｂの排気口３３は、冷却ファン１１の上方の本体１２に形成されている。
【００２３】
次に、この様な構成に基づいてその作用を述解する。
エアポンプ２が作動されると、外部の空気Ｂが加圧されてこれが吐出管１３→エアホース１６→エアリフトポンプ３の空気送出管１５→揚水管１６の下部に送られる。そうすると、水槽Ａ内の水Ｃが濾過器４の水孔２０から濾材１９を通過したり或は脚１８間から水孔２０そして濾材１９を通過してエアリフトポンプ３の揚水管１６の下部から吸い込まれ、揚水管１６内を上方へ空気Ｂと一緒に上昇される。この時、濾過器４の濾材１９に依り水Ｃが濾過されるので、エアリフトポンプ３に於ては、清浄な水Ｃが揚水される。
【００２４】
エアリフトポンプ３の揚水管１６の上部まで上昇された水Ｃと空気Ｂは、分離器５に依り下側に水Ｃが上側に空気Ｂが夫々位置すべく分離される。分離器５に依り分離された水Ｃは、散水器６の水滴孔２５に依り分散されて滴下され、熱交換器７へ落下される。分離器５に依り分離された空気Ｂは、空気抜き路９に依り直接熱交換器７へ送られる。空気抜き路９があるので、分離器５内の水Ｃと空気Ｂが散水器6の水滴孔２５から一緒に出る事がなく、水Ｃが飛び散る惧れがない。
【００２５】
熱交換器７に達した水Ｃは、これに依り分散されて表面積が増加され、冷却ファン１１に依る冷却空気Ｂと空気抜き路９からの空気Ｂに依り冷却される。
熱交換器７からの冷却された水Ｃは、受水器８に依り集水されて排水路１０から水槽Ａに戻され、これに依って水槽Ａ内の水Ｃが冷却される。この時、熱交換器７からの水Ｃは、受水器８に設けられた水跳ね防止マット２６上に落下するので、水跳ねが防止された後、この水跳ね防止マット２６を浸透して排水路１０から排出される。
【００２６】
冷却ファン１１が作動されると、散水器６から滴下された水Ｃと熱交換器７内の水Ｃと受水器８の水Ｃに対して冷却空気Ｂが通流され、気化熱に依りこれら水Ｃが冷却される。つまり、冷却ファン１１が作動されると、外部の空気Ｂが吸気口３２→散水器６と熱交換器７との間の空間→熱交換器７の上下方向の多数の穴→熱交換器７と受水器８との間の空間→冷却ファン１１のファン３０とフード３１との間→モータ２９がある空間→排気口３３を経て外部に流れると共に、分離器５で分離されたエアポンプ２からの空気Ｂが空気抜き路９を介して熱交換器７側に誘引される。
【００２７】
エアポンプ２とエアリフトポンプ３と濾過器４とに依り水槽Ａ内の水Ｃの濾過と水槽Ａ内の水Ｃの揚水と水中への酸素補給とを行なう様にしたので、全体をコンパクトに構成でき、比較的小型の水槽Ａに使用する事ができると共に、コストの低減を図る事ができる。
【００２８】
エアポンプ２とエアリフトポンプ３と濾過器４とに依り水槽Ａ内の水Ｃの濾過と水槽Ａ内の水Ｃの揚水と水中への酸素補給とを行なう様にしたので、エアポンプ２を一石三鳥に活用できる。
【００２９】
濾過器４を備えているので、別途専用の大きな濾過装置が不要であると共に、エアリフトポンプ３がゴミ等の閉塞に依り故障する事がない。
【００３０】
冷却ファン１１に依る冷却空気Ｂだけでなくエアポンプ２からの空気Ｂも利用して揚水後の水Ｃを冷却する様にしたので、冷却効果が大幅に向上する。
【００３１】
尚、濾過器４は、先の例では、容器１７と脚１８と濾材１９と水孔２０とを備えたものであったが、これに限らず、任意の構造のものを採用する事ができる。散水器６は、先の例では、平板２３と直管２４とを備えたものであったが、これに限らず、例えばパンチングメタル構造や網目構造としても良い。
熱交換器７は、先の例では、多数の上下方向の穴が開いた練炭状を呈したものであったが、例えば複数枚の縦板と横板とから成る格子構造であっても良い。
熱交換器７は、先の例では、単一のものであったが、これに限らず、例えば複数のものを並列又は直列に配置したものであっても良い。
冷却空気Ｂは、先の例では、散水器６から滴下する水Ｃに対して側方から通流させる様にしたが、これに限らず、例えば、散水器６から滴下する水Ｃに対して対向する様にしても良い。このようにした場合には、冷却効果が大幅に向上する。
【００３２】
【発明の効果】
以上、既述した如く、本発明に依れば、次の様な優れた効果を奏する事ができる。
（１）  エアポンプ、エアリフトポンプ、濾過器、分離器、散水器、熱交換器、受水器、空気抜き路、排水路、冷却ファンとで構成し、とりわけエアポンプとエアリフトポンプと濾過器とに依り水槽内の水の濾過と水槽内の水の揚水と水中への酸素補給とを行なう様にしたので、全体をコンパクトに構成でき、比較的小型の水槽に使用する事ができると共に、コストの低減を図る事ができる。
（２）  冷却ファンに依る冷却空気だけでなくエアポンプからの空気も利用して揚水後の水を冷却する様にしたので、優れた冷却効果を発揮できる。
【図面の簡単な説明】
【図１】本発明の水槽用冷却装置を適用した熱帯魚用水槽の概要を示す縦断正面図。
【図２】水槽用冷却装置を示す拡大縦断正面図。
【図３】図２の側面図。
【符号の説明】
１…水槽用冷却装置、２…エアポンプ、３…エアリフトポンプ、４…濾過器、５…分離器、６…散水器、７…熱交換器、８…受水器、９…空気抜き路、１０…排水路、１１…冷却ファン、１２…本体、１３…吐出管、１４…揚水管、１５…空気送出管、１６…エアホース、１７…容器、１８…脚、１９…濾材、２０…水孔、２１…密閉空間、２２…蓋体、２３…平板、２４…直管、２５…水滴孔、２６…水跳ね防止マット、２７…直管、２８…直管、２９…モータ、３０…ファン、３１…フード、３２…吸気口、３３…排気口、Ａ…水槽、Ｂ…空気（冷却空気）、Ｃ…水。
【図１】
0003954858.tif 000002
【図２】
0003954858.tif 000003
【図３】
0003954858.tif 000004